(57)【特許請求の範囲】
【請求項１】
文書を電子的に保存した電子文書を紙に印刷する文書印刷処理手段と、印刷された紙文書を読み取り画像として入力した紙情報と保存された該電子文書とを関連付けて文書処理する文書情報処理手段とからなる文書管理装置であって、
上記文書印刷処理手段は、
電子文書印刷時に、電子文書を識別するための文書識別子の文字数に基づいて４箇所以上に配置された位置あわせ記号を所定の順序でエンコードし、該位置あわせ記号の夫々を該文書識別子の１文字の情報として印刷する記号挿入手段と、
上記印刷する各記号の属性を、上記文書識別子の各文字に相当する属性に変化させる記号属性変更手段とを備え、
上記文書情報処理手段は、
読み取り画像から記号を識別する手段と、
識別した記号の属性を計測する手段と、
計測した記号の属性から紙文書の元となる電子文書を識別する紙文書識別手段とを有することを特徴とする文書管理装置。
【請求項２】
請求項１記載の文書管理装置であって、
上記文書情報処理手段は、
識別した電子文書の記号の位置と読み取り画像の記号の位置とを一致させる記号位置あわせ手段と、
識別した電子文書と読み取り画像との差分画像処理を行なう差分画像処理手段とを有することを特徴する文書管理装置。
【請求項３】
請求項１記載の文書管理装置であって、
上記記号挿入手段は、
不可視インクを用いて記号を印刷することを特徴とする文書管理装置。
【請求項４】
請求項２記載の文書管理装置であって、
上記記号位置あわせ手段が、記載の不可視インクを用いて印刷された記号を読み取る不可視インク読み取り手段有することを特徴とする文書管理装置。
【請求項５】
請求項１記載の文書管理装置であって、
上記記号挿入手段は、
透明または白色の紫外線吸収インクが全面に塗布された被筆記媒体に、不可視インクとして紫外線蛍光材を含む透明インクを用いて記号を印刷することを特徴とする文書管理装置。
【請求項６】
コンピュータが、文書を電子的に保存した電子文書を紙に印刷する文書印刷処理手順と、印刷された紙文書を読み取り画像として入力した紙情報と保存された該電子文書とを関連付けて文書処理する文書情報処理手順とを実行する文書管理方法であって、
上記文書印刷手順は、
電子文書印刷時に、電子文書を識別するための文書識別子の文字数に基づいて４箇所以上に配置された位置あわせ記号を所定の順序でエンコードし、該位置あわせ記号の夫々を該文書識別子の１文字の情報として印刷する記号挿入手順と、
上記印刷する各記号の属性を、上記文書識別子の各文字に相当する属性に変化させる記号属性変更手順とを有し、
上記文書情報処理手順は、
読み取り画像から記号を識別する手順と、
識別した記号の属性を計測する手順と、
計測した記号の属性から紙文書の元となる電子文書を識別する手順とを有することを特徴とする文書管理方法。
【請求項７】
請求項６記載の文書管理方法であって、
上記文書情報処理手順は、上記コンピュータに、
識別した電子文書の記号の位置と読み取り画像の記号の位置とを一致させる手順と、
識別した電子文書と読み取り画像との差分画像処理を行なう差分画像処理手順とを実行させることを特徴する文書管理方法。
【請求項８】
請求項１又は２記載の文書管理装置での処理をコンピュータに行なわせるための請求項６又は７記載の文書管理方法での手順を有するプログラムを格納した記憶媒体。
【発明の詳細な説明】
【０００１】
【発明の属する技術分野】
本発明は、電子的に管理された文書と、紙に印刷された文書とを効率よく連携させる文書管理装置に係り、詳しくは、電子文書を印刷した紙文書に対して行われた書きこみを、元の電子文書に自動的に反映させる文書管理装置を提供するものである。
【０００２】
また、本発明は、そのような文書管理方法及びその文書管理装置での処理をコンピュータに行なわせるためのプログラムを格納した記憶媒体に関する。
【０００３】
【従来の技術】
現在のオフィス業務においては、文書を電子的に作成・保存・編集することが一般的であり、例えば、書類の作成はコンピュータやワープロを用いてキーボードやマウスから入力することが多い。しかし作成した文書の検査、校正や編集などにはＣＲＴ（Cathode-Ray Tube display）やＬＣＤ（Liquid Crystal Display）の解像度が低く読みにくいなどの要因から、紙に印刷し、ペンで書きこみを行なうことによって文章の訂正又は追加を行っていた。また、必要に応じて、書きこみのある紙文書を見ながらキーボードやマウスなどを用いて電子文書に入力して修正を行っていた。
【０００４】
【発明が解決しようとする課題】
しかしながら、上記従来における電子文書の修正方法は、以下に述べる問題点がある。
【０００５】
このような紙文書への書きこみは元の電子文書への訂正又は追加であることが多く、重要な情報である。そのため、この紙への書きこみ情報に基づき、元の電子文章を正しく変更する必要がある。
【０００６】
しかし、紙に加えられた書きこみを元の電子文書に反映することは難しく、書きこみのある紙文書を見ながらキーボードやマウスなどを用いて電子文書に入力することになるが、一旦書きこんだ情報を再び入力することは無駄であり、また見落としなども多く、効率的ではない。そのため、紙文書への書きこみを自動的に元の電子文書に反映させることが望まれる。紙文書の情報を電子的に取り込む装置としてスキャナがある。スキャナを用いて書き込みのある紙文書を入力した場合、ここで得られた画像は元の電子文書とは別の文書として取り込まれ、元文書を特定することができないため元文書に書きこみを反映することは困難である。
【０００７】
また、書きこみを反映させる元文書が特定された場合にも、元文書に反映させる情報は書き込み情報だけであることが望ましい。しかし、取りこまれる画像はプリンタで印刷された文字や画像とそこに加えられた書きこみとを同時に取りこむため、書き込みだけ抽出し、元文書に反映させることは困難である。
【０００８】
上記のように、電子文書を印刷した紙文書に行われた書き込みを元の電子文書に反映させるという要求が存在している。そのためには、紙文書の元の電子文書を特定する手段と、紙文書に加えられた加筆情報を抽出する手段が必要となる。
【０００９】
こうした要請に対し、紙文書の元となる電子文書を特定するために、文書印刷時に紙文書の元となる電子文書を特定できる情報（文書ＩＤ）をバーコードなどで表して同時に印刷し、文書読み取り時にはバーコードにしたがって元文書を特定し、書き込み情報を抽出するために、特定した電子文書と加筆した文書との差分処理を行って書きこみのみを抽出し、元の電子文書に反映させることが提案されている(特開平１０-６３８２０)。
【００１０】
しかし、画像の差分処理によって書きこみ情報のみを抽出するためには正確な位置あわせが必要であり、単純に二つの画像の差分処理を行なうだけでは、実現することは困難である。例えば、スキャナが紙文書を読み込むときに斜めに読み込んだり、読み込みむらがあると差分処理に誤差が生ずるため、書き込みだけを抽出することが困難になるという問題がある。このような差分処理に誤差が生ずる要因としては、プリンタ印刷時の紙送りのむら、スキャナ読み込み時の紙送りのむら、紙の斜め挿しなどさまざまなものが存在する。
【００１１】
また、文書識別記号（文書ＩＤ、文書番号、文書識別番号）としてバーコードなどを用いる場合、人間には読解不可能な模様が印刷されるため、本来の文書の読解の妨げとなるという問題がある。
【００１２】
そこで、本発明の第一の課題は、電子文書を印刷した紙文書に対して行われた書きこみを、元の電子文書に自動的に反映させる文書管理装置を提供することである。
【００１３】
また、本発明の第二の課題は、同様に、文書管理方法を提供することである。
【００１４】
さらに、本発明の第三の課題は、上記のような文書管理装置での処理をコンピュータに行なわせるためのプログラムを格納した記憶媒体を提供することである。
【００１５】
【課題を解決するための手段】
上記第一の課題を解決するため、本発明は、文書を電子的に保存した電子文書を紙に印刷する文書印刷処理手段と、印刷された紙文書を読み取り画像として入力した紙情報と保存された該電子文書とを関連付けて文書処理する文書情報処理手段とからなる文書管理装置であって、上記文書印刷処理手段は、電子文書印刷時に、電子文書を識別するための文書識別子の文字数に基づいて４箇所以上に配置された位置あわせ記号を所定の順序でエンコードし、該位置あわせ記号の夫々を該文書識別子の１文字の情報として印刷する記号挿入手段と、上記印刷する各記号の属性を、上記文書識別子の各文字に相当する属性に変化させる記号属性変更手段とを備え、上記文書情報処理手段は、読み取り画像から記号を識別する手段と、識別した記号の属性を計測する手段と、計測した記号の属性から紙文書の元となる電子文書を識別する紙文書識別手段とを有するように構成される。
【００１６】
このような文書管理装置では、電子文書を印刷した紙文書に対して行われた書きこみを、元の電子文書に自動的に反映させることができる。また、人間が判読不可能な記号を見えにくくし、不可視インクによって印刷された記号を判読し、位置合わせ、差分画像処理を可能とすることによって、電子的に管理可能な紙文書の外観を読み易くすることができる。さらに、不可視情報を安定して検出可能な装置を提供することによって、電子的に管理可能な紙文書の外観を読み易くすることができる。
【００１７】
上記第二の課題を解決するために、さらに、本発明は、コンピュータが、文書を電子的に保存した電子文書を紙に印刷する文書印刷処理手順と、印刷された紙文書を読み取り画像として入力した紙情報と保存された該電子文書とを関連付けて文書処理する文書情報処理手順とを実行する文書管理方法であって、上記文書印刷手順は、電子文書印刷時に、電子文書を識別するための文書識別子の文字数に基づいて４箇所以上に配置された位置あわせ記号を所定の順序でエンコードし、該位置あわせ記号の夫々を該文書識別子の１文字の情報として印刷する記号挿入手順と、上記印刷する各記号の属性を、上記文書識別子の各文字に相当する属性に変化させる記号属性変更手順とを有し、上記文書情報処理手順は、読み取り画像から記号を識別する手順と、識別した記号の属性を計測する手順と、計測した記号の属性から紙文書の元となる電子文書を識別する手順とを有するように構成される。
【００１８】
上記第三の課題を解決するため、さらに、本発明は、請求項１又は２記載の文書管理装置での処理をコンピュータに行なわせるための請求項３又は４記載の文書管理方法での手順を有するプログラムを格納した記憶媒体として構成される。
【００１９】
【発明の実施の形態】
以下、本発明の実施の形態を図面に基づいて説明する。
［第一実施例］
図１は、文書管理装置の概略を示す機能ブロック図である。
【００２０】
図１より、本発明の第一実施例に係る文書管理装置１００は電子文書作成・編集装置１０１、電子文書保存・管理装置１０２、電子文書印刷装置１０３、紙文書読取装置１０４、情報処理装置１０５からなる。これらは、ネットワークによって接続され、相互にデータを通信することができる。また、これらの装置は一体として構成されることも可能であるし、それぞれが個別の装置として構成されることも可能である。一体の装置として構成される場合、一般的なコンピュータとプリンタとスキャナによって構成することが可能である。個別の装置として構成される場合には、これらの装置はネットワークによって相互にデータを相互に利用できるようにすれば良い。
【００２１】
文書作成・編集装置１０１は、ＣＰＵ３０１と、メモリ３０２と、一時記憶装置３０３と、ディスプレイ装置３０４とを有する通常のコンピュータなどを利用することが可能であり、キーボード３０５を用いた文字入力機能や、マウスなどのポインティングデバイス３０６を用いた図形の入力、レイアウトの変更などの機能を有する。例えば、広く用いられているパーソナルコンピュータとワードプロセッサ・ソフトウェアによって実現することができる。
【００２２】
電子文書保存・管理装置１０２は、作成した電子文書を保存する機能を持つ文書保存装置４０１と、保存された電子文書を管理し、適宜、読み出す文書管理装置４０２とを有する。文書作成・編集装置１０１によって、作成された文書は、文書保存装置４０１として、例えば、ハードディスク等の補助記憶装置に保存され、一般的なディレクトリーシステムなどによって管理される。このとき、文書管理装置４０２によって個々の電子文書を識別可能な文書ＩＤとして、文書番号が与えられる。文書番号は一つの電子文書に対して唯一のものであり、重複することなく生成され、文書番号を識別することで電子文書を特定することが可能となる。
【００２３】
電子文書を読み出すときには、文書ＩＤにしたがって電子文書を特定し、再利用する。
【００２４】
ここで、たとえばディレクトリーシステムを用いたファイル管理システムにおいては、個々のファイルに保存場所（パス）とファイル名が与えられる。ＤＯＳを用いた場合、電子文書に対し、『保存場所』:『ファイル名』が与えられ「C:\work\text\tmp.doc」のように記述される。このようにすでに電子文書を同定する情報が存在場合には、既存の文書管理情報と文書番号とを対応付けることで、文書番号(文書ＩＤ)による文書管理が可能となる。文書ＩＤ対応表４０３は文書管理装置４０２によって作成され、保存装置４０１に電子文書と同様に保存される。
【００２５】
電子文書印刷装置１０３は、通常のプリンタ５０１と位置あわせ記号挿入装置５０２とからなる。位置あわせ記号挿入装置５０２は文書保存・管理装置１０２によって管理される文書ＩＤを位置あわせ記号の属性にエンコードし、印刷領域の周囲に挿入して印刷する。文書ＩＤを位置あわせ記号の属性にエンコードする方法については後述する。位置記号は印刷領域を妨げないように、印刷領域の周囲に配置される。印刷された紙文書２０１は、例えば図３に示すように当初の印刷領域の周囲に位置あわせ記号２０３が四隅に配置される。
【００２６】
紙文書読取装置１０４は、紙文書の画像を入力する機能を備え、スキャナなどを用いることができる。読み取られた文書画像は、当初の印刷とメモ書きなどの書きこみが同時に取りこまれたものである。また、読み取られた画像は情報処理装置１０５のメモリに一旦蓄えられ、後の処理が実施される。
【００２７】
情報処理装置１０５は、ＣＰＵ６０１、メモリ６０２、一時記憶装置６０３などによって構成される。読み取られた紙文書画像から、文書ＩＤの読み取り、加筆画像の抽出、抽出した加筆画像を元の電子文書に重畳するなどの機能を持つ。それぞれの処理は後述する。これらの処理は記憶装置に記録されており、適宜読み出して利用される
上述より、電子文書作成・編集装置１０１と電子文書保存装置１０２によって作成、保存された電子文書は電子文書印刷装置１０３によって位置あわせ記号と本文とを同時に印刷される。印刷された紙文書は通常の書類と同様、ペンなどの筆記具を用いて書き込みを行なう。書き込みのある紙文書は文書読取装置１０４によって読み取られ、画像として取り込まれる。取り込まれた画像は、情報処理装置１０５によって、元の電子文書が同定され、差分画像処理が行われ書き込み画像のみが抽出される。抽出された書き込みは同定された電子文章に重畳される。
【００２８】
図２に文書ＩＤ対応表４０３の例を示す。
【００２９】
図２において、文書ＩＤ対応表４０３は、『文書番号』、『ファイル名』及び『保存場所』等の項目を有する。ここで項目として、『ファイル名』と『保存場所』とを例として示したが、文書管理情報としてはこれに限るものではなく、他に『ページ番号』、『作成者』、『ファイル容量』、『編集日時』、『作成日時』など電子文書を特定することに必要な情報を適宜利用する。
【００３０】
図３は、位置記号の配置の例を示す図である。
【００３１】
図３において、紙文書２０１には通常の印刷文書と同様に印刷内容２０２が印刷されており、その周囲に十字線などの位置合わせ記号２０３が同時に印字されている。また、位置合わせ記号は十字線に限るものではなく、円、２重円などの記号で良く、なるべく文書の４隅に設置されることが望ましい。このとき、位置あわせ記号は電子文書を特定できるような文書ＩＤを表現するようにその属性を変化させる。
【００３２】
記号による文書ＩＤの表現は、たとえば、十字線を位置あわせ記号として用いる場合には、十字線を表示する線の太さを文書ＩＤにしたがって変化させることが考えられる。文書ＩＤが０のとき位置合わせ記号を太さ１ポイントの線で描き、文書ＩＤが１の時、位置合わせ記号を太さ２ポイントの線で、文書ＩＤがｎのとき、位置合わせ記号を太さｎ＋１ポイントの線で描くようにする。
【００３３】
位置あわせ記号を文書の４隅に設ける場合、４個の位置合わせ記号をそれぞれ文書ＩＤのけたに対応させると、０〜９９９９までの文書ＩＤを表示することができる。ここで文書ＩＤは数字で表すこととして説明したが、英文字などほかのコードで表現することもできる。また、位置あわせ記号は４個に限らず、複数設置することができ、位置あわせ記号の数が多いほど、詳しい文書ＩＤを示すことができる。
【００３４】
このように位置あわせ記号によって表現された文書ＩＤを読み取ることで、紙文書の元となる電子文書を同定することができる。
【００３５】
書き込み更新処理の流れを図４で説明する。
【００３６】
図４は、電子文書への書き込み更新処理を説明するフローチャート図である。
【００３７】
書き込み更新処理は大きく「電子文書作成Ｓ１・編集Ｓ２・保存Ｓ３」と、「電子文書の印刷Ｓ４」と、「紙文書への書き込みＳ５」と、「紙文書の読み込みＳ６」と、「書きこみ画像の抽出Ｓ７・電子文書の更新Ｓ８」とに分けて考えられる。
【００３８】
それぞれの処理について以下に説明する。
【００３９】
電子文書作成Ｓ１及び電子文書編集Ｓ２での処理は、通常の電子文書の作成・編集作業と同様であり、コンピュータなどを利用して行われる。
【００４０】
文書保存Ｓ３は、図５に示すＳ３１からＳ３３での処理を実行する。図５は、文書保存処理を説明するフローチャート図である。
【００４１】
図５において、文書ＩＤ対応表作成Ｓ３１は、電子文書を特定できるファイル名、保存場所などの文書管理情報と文書ＩＤとの対応を示す文書ＩＤ対応表を生成して保存する。
【００４２】
文書内容保存Ｓ３２は、電子文書の保存は通常の保存と同様である。
【００４３】
終了判断Ｓ３３は、電子文書の保存が終了したか否かを判断する。終了していない場合、文書内容保存Ｓ３２へ戻り処理を繰り返す。一方、終了している場合、文書保存処理を終了し、図４の編集終了判断Ｓ３５が実行される。
【００４４】
図４の保存終了判断Ｓ３５は、電子文書の編集が終了したか否かを判断する。終了していない場合、電子文書保存Ｓ３へ戻り処理を繰り返す。一方、編集処理が終了している場合、電子文書印刷Ｓ４を実行する。
【００４５】
電子文書印刷Ｓ４は、図６に示すＳ４１からＳ４７での処理を実行する。図６は、電子文書印刷処理を説明するフローチャート図である。
【００４６】
図６において、電子文書読み出しＳ４１は、指定された印刷する電子文書を文書保存・管理装置１０２から読み出す。
【００４７】
文書ＩＤ取得Ｓ４２は、指定された電子文書の文書ＩＤを文書ＩＤ対応表より取得する。
【００４８】
文書ＩＤを位置あわせ記号へエンコードＳ４３は、文書ＩＤを位置あわせ記号へエンコードする。エンコードの手段はいくつか考えられ、その一つはすでに示した。また、その他のエンコード方法については後述する。
【００４９】
文書印刷イメージ作成Ｓ４４は、読み出された電子文書から印刷される画像イメージを作成する。
【００５０】
文書印刷イメージと位置あわせ記号を挿入Ｓ４５は、位置あわせ記号は印刷イメージのあらかじめ決められた位置に挿入される。挿入される位置は印刷ページの４隅を含むことが望ましく、より正確に位置あわせを行なう場合には、ページのほかの部分にも同様に挿入される。
【００５１】
挿入された文書の印刷Ｓ４６は、上記の手順にしたがって位置あわせ記号が挿入された電子文書を、電子文書印刷装置１０３が有するプリンタなどの通常の印刷手段によって印刷する。
【００５２】
終了判断Ｓ４７は、電子文書の印刷が終了したか否かを判断する。電子文書の印刷が終了していない場合、電子文書読み出しＳ４１へ戻り処理を繰り返す。
【００５３】
図４の紙文書への書き込みＳ５は、利用者によって印刷された紙にメモや注意書きが書き込まれる。印刷された紙文書は通常の印刷物と同様であり、鉛筆やペンなどの筆記具を用いて、メモや注意書きが記入される。
【００５４】
紙文書の読み込みＳ６は、紙文書をスキャナで読み込む。紙文書の読み込みは通常のスキャナ装置などを用いることが一般的であるが、利用される装置はこの限りではなく、ビデオカメラ、デジタルカメラなどを用いることも可能である。紙文書の読み込みはすでに書き込みが行われた画像を取得できればよい。
【００５５】
書きこみ画像の抽出Ｓ７は、図７に示すＳ７１からＳ７８での処理を実行する。図７は、書きこみ画像抽出処理を説明するフローチャート図である。
【００５６】
図７において、位置あわせ記号を検出Ｓ７１は、予め決められた位置に印刷されている位置あわせ記号に基づいて、読み取った画像から相当する位置を切り出して位置あわせ記号を識別する。このとき、印刷、読み取りのずれによって位置あわせ記号は所定の位置に正確に読み取られない場合が多く、位置あわせ記号の画像として読み取り画像から切り出す画像は所定の位置の周辺部分も同時に読み取ることが望ましい。
【００５７】
位置あわせ記号を文書ＩＤへデコードＳ７２は、識別された位置あわせ記号の属性を読み取り、文書ＩＤへ変換する。デコードの一例はすでに示してあるエンコード方法に準拠し、その他の例については後述する。
【００５８】
元となる電子文書の特定Ｓ７４は、上記の手順によって読み取られた文書IDと前記の手順によって作成、保存された文書ID対応表とから、元の文書を特定する。
【００５９】
読み取りイメージと位置合わせＳ７５は、紙文書の位置あわせ記号の位置を取得する。前記のように位置あわせ記号は、予め定められた位置に印刷されており、設定された位置の周辺の画像を切り出すことで、位置あわせ記号を切り出すことができる。切り出された位置あわせ記号画像の重心を求めることで、位置あわせ記号の位置を取得することができる。紙文書と電子文書のそれぞれの位置あわせ記号の位置を取得する。
【００６０】
更に、位置あわせ記号の位置を調整する。取得された電子文書の位置あわせ記号の位置と、紙文書の位置あわせ記号の位置とを比較し、電子文書に対して紙文書が右に動いていれば、左に動かすなどの位置あわせを行なう。このとき、画像全体は、位置あわせ記号を軸としたモルフィング操作を行って変形する。モルフィング操作は、画像処理において広く知られているものであり、二つの画像を保管変形させる操作である。
【００６１】
実際の位置あわせ、モルフィング操作を図８に示す。図８は、モルフィング操作を説明する図である。図８より、図７０１は元となる電子文書上の位置あわせ記号であり、７０２は紙文書上の位置あわせ記号である。紙文書上の位置あわせ記号７０２が、電子文書上の位置あわせ記号７０１に一致するように紙文書を変形させる。このとき、位置あわせ記号以外の点は、位置あわせ記号の変形に合わせて変形させる。
【００６２】
差分処理Ｓ７６は、位置あわせされた二つの画像の間で差分処理を行なう。
【００６３】
ノイズ除去・領域切り出し・表示Ｓ７７は、ノイズを除去して書き込み部分を切り出し、その切り出した部分を元の電子文書に重畳させて表示させる。差分処理を行った画像は、おおむね書きこみ画像のみが残るが、さまざまな要因によって発生するノイズが残っており、これらを除去する必要がある。ノイズ除去の手法としては、たとえば中央値フィルタ(メディアンフィルタ)などによるノイズフィルタ技術が用いられる。ノイズ除去された画像は、おおむね白い画像の中に書きこみ画像のみが存在しており、これらの書きこみ画像部分を容易に切り出して、利用することができる。切り出された書きこみ画像はすでに特定されている元の電子文書に重畳させて表示される。
【００６４】
終了判断Ｓ７８は、全ての書き込みを処理したか否かを判断する。終了していない場合、記号検出Ｓ７１へ戻り上記同様の処理を実行する。終了している場合、書き込み画像抽出処理を終了する。
【００６５】
図４において、電子文書の更新Ｓ８は、書き込み画像を元の電子文書に反映させて更新する。これによって、書き込みのある画像と元の電子文書とを別に管理する必要がなくなる。
【００６６】
終了判断Ｓ８５は、電子文書への操作が終了したか否かを判断する。終了していない場合、電子文書編集Ｓ２へ戻り、上記同様の処理を繰り返す。一方、終了している場合、電子文書への書き込み更新処理を終了する。
【００６７】
文書ＩＤを位置あわせ記号の属性にエンコードする方法について説明する。
【００６８】
以下に文書ＩＤを位置あわせ記号にエンコード・デコードする実施例を示す。ここで文書ＩＤは数字によって表されているとする。たとえば１０２３、２５６９、００３５などである。また、エンコードのみを示すが、デコードはエンコードの逆の処理を行なうことで容易に実現できる。
【００６９】
第一のエンコード方法の例（色）を説明する。
【００７０】
第一のエンコード方法では、紙文書２０１の文書ＩＤを位置あわせ記号の色によってコーディングする。たとえば、文書ＩＤが数字で表現される場合１＝赤、２＝黒、３＝黄、４＝緑、５＝青、６＝紫、７＝橙、８＝桃色、９＝茶、０＝水色とする。４隅に配置された位置あわせ記号の色がそれぞれ、（赤、青、黒、黒）の場合、文書ＩＤは（１５２２）となる。
【００７１】
図９は、第一のエンコード方法を適用した場合の紙文書の例を示す図である。図９において、位置あわせ記号の形状を正方形とし、文書ＩＤ（１５２２）の場合のエンコードの例が示される。紙文書２０１上の記号８０１、記号８０２、記号８０３及び記号８０４はそれぞれ位置あわせ記号であり、第一のエンコード手法によって、それぞれ（赤、青、黒、黒）にエンコードされており、文書ＩＤ（１５２２）を示す。
【００７２】
第二のエンコード方法の例を説明する。
【００７３】
第二のエンコード方法では、紙文書２０１の文書ＩＤを位置あわせ記号の形状によってコーディングする。たとえば、文書ＩＤが数字で表現される場合１＝△、２＝□、３＝○、４＝×、５＝▲、６＝■、７＝●、８＝◎、９＝▽、０＝▼とする。４隅に配置された位置あわせ記号の形状がそれぞれ、（△、▽、○、○）の場合文書ＩＤは（１９３３）となる。
【００７４】
図１０は、第二のエンコード方法を適用した場合の紙文書の例を示す図である。図１０において、紙文書２０１が文書ＩＤ（１９３３）の場合のエンコードの例が示される。このとき、位置あわせは紙文書画像と電子文書画像のそれぞれの記号の中心位置を合わせる。記号９０１、記号９０２、記号９０３及び記号９０４はそれぞれ位置あわせ記号であり、上記のエンコード手法によって、それぞれ（△、▽、○、○）にエンコードされており、文書ＩＤ（１９３３）を示す。
【００７５】
第三のエンコード方法の例を説明する。
【００７６】
第三のエンコード方法では、紙文書２０１の文書ＩＤを位置あわせ記号の位置によってコーディングする。たとえば、文書ＩＤが数字で表現される場合１＝右に１ポイント、２＝右に２ポイント、３＝右に３ポイント、４＝左に１ポイント、５＝左に２ポイント、６＝左に３ポイント、７＝上に１ポイント、８＝上に２ポイント、９＝上に３ポイント、０＝下に１ポイントとする。４隅に配置された位置あわせ記号が正方形、位置ずれがそれぞれ、（右２、右２、上１、下０）の場合文書ＩＤは（２２７０）となる。
【００７７】
図１１は、第三のエンコード方法を適用した場合の紙文書の例を示す図である。図１１において、文書ＩＤ（２２７０）の場合のエンコードの例が示される。記号１００１、記号１００２、記号１００３及び記号１００４はそれぞれ位置あわせ記号であり、上記のエンコード手法によって、それぞれ位置ずれが（右２、右２、上１、下０）にエンコードされており、文書ＩＤ（２２７０）を示す。
【００７８】
第四のエンコード方法の例を説明する。
【００７９】
第四のエンコード方法では、紙文書２０１の文書ＩＤを位置あわせ記号の向きによってコーディングする。たとえば、文書ＩＤが数字で表現される場合１＝左に１０度、２＝左に２０度、３＝左に３０度、４＝左に４０度、５＝左に５０度、６＝右に１０度、７＝右に２０度、８＝右に３０度、９＝右に４０度、０＝右に５０度とする。４隅に配置された位置あわせ記号の傾きがそれぞれ、（右２０、右２０、左３０、右４０）の場合文書ＩＤは（２２８４）となる。
【００８０】
図１２は、第四のエンコード方法を適用した場合の紙文書の例を示す図である。図１２において、位置あわせ記号が３角形で、紙文書２０１が文書ＩＤ（２２８４）の場合のエンコードの例を示す。記号１１０１、記号１１０２、記号１１０３及び記号１１０４はそれぞれ位置あわせ記号であり、上記のエンコード手法によって、それぞれ傾きが（右２０、右２０、左３０、右４０）にエンコードされており、文書ＩＤ（２２８４）を示す。このとき、位置あわせは、それぞれの位置あわせ記号の中心位置を合わせる。また、位置あわせ記号の形状は三角形などの向きを特定できるものである必要があり、円形や正方形などは適さない。
【００８１】
第五のエンコード方法の例を説明する。
【００８２】
第五のエンコード方法では、紙文書２０１の文書ＩＤを位置あわせ記号の大きさによってコーディングする。たとえば、文書ＩＤが数字で表現される場合１＝サイズ１（小）、２＝サイズ２（やや小）、３＝サイズ３、４＝サイズ４、５＝サイズ５，６＝サイズ６，７＝サイズ７、８＝サイズ８、９＝サイズ９、０＝サイズ１０とする。４隅に配置された位置あわせ記号が十字線で、それぞれ、（サイズ１、サイズ２、サイズ５、サイズ５）の場合文書ＩＤは（１２５５）となる。
【００８３】
図１３は、第五のエンコード方法を適用した場合の紙文書の例を示す図である。図１３において、紙文書２０１が文書ＩＤ（１２５５）の場合のエンコードの例を示す。記号１２０１、記号１２０２、記号１２０３及び記号１２０４はそれぞれ位置あわせ記号であり、上記のエンコード手法によって、それぞれサイズが（サイズ１、サイズ２、サイズ５、サイズ５）にエンコードされており、文書ＩＤ（１２５５）を示す。
【００８４】
第六のエンコード方法の例を説明する。
【００８５】
第六のエンコード方法では、紙文書２０１の文書ＩＤを位置あわせ記号の太さによってコーディングする。たとえば、文書ＩＤが数字で表現される場合１＝太さ１（細）、２＝太さ２（やや細）、３＝太さ３、４＝太さ４、５＝太さ５，６＝太さ６，７＝太さ７、８＝太さ８、９＝太さ９、０＝太さ１０とする。４隅に配置された位置あわせ記号がそれぞれ、（太さ１、太さ２、太さ５、太さ５）の場合文書ＩＤは（１２５５）となる。
【００８６】
図１４は、第六のエンコード方法を適用した場合の紙文書の例を示す図である。図１４において、紙文書２０１が文書ＩＤ（１２５５）の場合のエンコードの例を示す。記号１３０１、記号１３０２、記号１３０３及び記号１３０４はそれぞれ位置あわせ記号であり、上記のエンコード手法によって、それぞれサイズが（（太さ１、太さ２、太さ５、太さ５）にエンコードされており、文書ＩＤ（１２５５）を示す。
【００８７】
第七のエンコード方法の例を説明する。
【００８８】
第七のエンコード方法では、紙文書２０１の文書ＩＤを位置あわせ記号の輪郭を描く直線の種類によってコーディングする。たとえば、文書ＩＤが数字で表現される場合１＝実線、２＝破線、３＝一点破線、４＝二点破線、５＝三点破線、６＝一点破線２、７＝二点破線２、８＝三点破線２、９＝破線２、０＝二重線とする。４隅に配置された位置あわせ記号がそれぞれ、（実線、破線２、一点破線、一点破線）の場合文書ＩＤは（１９３３）となる。
【００８９】
図１５は、第七のエンコード方法を適用した場合の紙文書の例を示す図である。図１５において、紙文書２０１が文書ＩＤ（１９３３）の場合のエンコードの例を示す。記号１４０１、記号１４０２、記号１４０３及び記号１４０４はそれぞれ位置あわせ記号であり、上記のエンコード手法によって、それぞれサイズが（（実線、破線２、一点破線、一点破線）にエンコードされており、文書ＩＤ（１９３３）を示す以上、文書ＩＤを位置あわせ記号にエンコードする手法を述べたが、それぞれのエンコード手法は単独で用いることに限らず、複数の手法を組み合わせて用いることもできる。たとえば記号の色によるエンコード手法と、大きさによるエンコード手法は用意に組み合わせて用いることができる。このように複数のエンコード手法を組み合わせて用いることによって、より多くの文書ＩＤを表現することが可能となり、より多くの電子文書を扱うことが可能となる。
【００９０】
また、図示した例には位置あわせ記号を文書の４隅に配置した場合を記述したが、より正確な位置あわせを行なう場合には、より多くの位置あわせ記号を配置させることも可能である。このとき、文書ＩＤとしてより多くの情報を表示することができ、また位置あわせの精度は向上するため書きこみをより忠実に抽出することが可能となる。
【００９１】
上記第一実施例において、紙文書２０１には、通常の印刷文書と同様に印刷内容２０２が印刷されており、その周囲に十字線などの位置合わせ記号が同時に印字されている。また、加筆が行われた紙文書の元となる電子情報を特定するため、電子文書特定のためにバーコードなどを用いる方法（特開平１０−６３８２０）又は、第一実施例における位置合わせに用いる記号を電子文書の特定に用いる方法を適用することができる。しかしながら、このように、人間が判読可能な情報２０２の周囲に機械のみに判読可能な位置合わせ記号が印刷されると、印刷内容２０２を読む場合に煩わしいと感じる場合がある。
【００９２】
そのため、記号の印刷に、可視光に対して透明であり、紫外線、赤外線などの人間が検知不可能な波長の光に対して特に蛍光や、吸収特性を持つインクである不可視インクを用いることが考えられる。しかしながら、不可視インクとして、赤外波長領域において蛍光特性を持つ不可視インクを用いた場合には、赤外領域に蛍光をもつインクはその蛍光波長もまた赤外波長であり、その検出には特殊な装置が必要となり、利用が困難であるという問題がある。また、紫外蛍光不可視インクを用いた場合、たとえば、一般のオフィス環境では、蛍光灯などの光源が多数存在し、これらの光は媒体上のパターン読み取り時にノイズ源として働いてしまい筆記座標の読み取り精度に対し悪影響を与える。こうした悪影響を避けるためにも、パターンへ照射される光強度は十分に強いものであることが求められる。一方、照射光が強い場合、筆記媒体の表面からの反射光がノイズとなり、信号読み取り精度へ悪影響を与えるという問題がある。
【００９３】
よって、第二実施例において、位置合わせ記号、電子文書識別記号を利用者に対して見えにくくすると共に、オフィスなどの環境において、不可視インクによる記号をより頑健に読み取る方法について説明する。
［第二実施例］
図１６は、本発明の第二実施例に係る文書管理システムの概略を示す機能ブロック図である。図１６中、図１と同一部分には同一符号を付し、その説明は省略する。
【００９４】
図１６より、本発明の第二実施例に係る文書管理装置２００は電子文書作成・編集装置１０１、電子文書保存・管理装置１０２、電子文書印刷装置２１０３、紙文書読取装置２１０４、情報処理装置２１０５からなる。これらは、図１に示される構成と同様に、ネットワークによって接続され、相互にデータを通信することができる。また、これらの装置は一体として構成されることも可能であるし、それぞれが個別の装置として構成されることも可能である。個別の装置として構成される場合、これらの装置はネットワークによって相互にデータを相互に利用できるようにすれば良い。
【００９５】
電子文書作成・編集装置１０１及び電子文書保存・管理装置１０２は、図１中と同様であるためその説明を省略する。
【００９６】
電子文書印刷装置２１０３は、通常のプリンタ５０１と位置あわせ記号挿入装置２５０２とからなる。位置あわせ記号挿入装置２５０２は文書保存・管理装置１０２によって管理される文書ＩＤを位置あわせ記号の属性にエンコードし、不可視インクで印刷領域の周囲に挿入して印刷する。文書ＩＤを位置あわせ記号の属性にエンコードする方法は、第一実施例と同様である。位置記号は印刷領域を妨げないように、印刷領域の周囲に配置される。また、紫外線外乱光の多い環境に対しては、紙文書上に紫外光吸収剤を塗布し、その上に紫外光蛍光インクを用いて記号を印刷するようにする。
【００９７】
紙文書読取装置２１０４は、可視画像読取部２１０１と、不可視画像読取部２１０２とを有する。可視画像読取部２１０１は、当初の印刷とメモ書きなどの書きこみがある紙文書を同時に読み取る。不可視画像読取部２１０２は、不可視インクで印刷領域の周囲に挿入されている記号を読み取る。また、読み取られた画像は情報処理装置２１０５のメモリ２６０２に一旦蓄えられ、後の処理が実施される。
【００９８】
情報処理装置２１０５は、ＣＰＵ２６０１、メモリ２６０２、記憶装置２６０４などによって構成される。記憶装置２６０４は、読み取られた不可視記号から文書ＩＤをデコードする文書ＩＤデコード部２６４１と、加筆画像を抽出して元の電子文書と重畳することによって差分処理を行なう差分処理部２６４２とを有する。
【００９９】
図１７は、不可視記号が印刷された紙文書の外観を示す図であり、図１８は、紫外光による紙文書の外観を示す図である。紙文書２２０１には通常の印刷文書と同様に印刷内容２２０２が通常のインクによって印刷されており、その周囲に十字線などの位置合わせ記号203が紫外蛍光不可視インクによって印字されている。ここで２２０３は不可視インクであり、可視領域（図１７）においては表示されないため、印刷内容２２０２の読解の妨げにならない。また、紫外線を照射した図１８においては蛍光を発しており、判読可能である。
ここで、本発明における紙文書はその下地に紫外線吸収剤を塗布されている、あるいは紫外線吸収剤を含有しているため、紫外線領域では暗色に検出され、蛍光インクによって印刷された記号にくらべ著しく異なっており、検出が容易になっている。
【０１００】
文書読取装置２１０４に備えられる不可視画像読取部２１０２について、図１９で説明する。図１９は、不可視画像読取部による不可視記号の読み取りを説明する図である。不可視画像読取部２１０２は、不可視インクの特性に応じた、紫外ＬＥＤなどの不可視光照射装置２３０１と、ＣＣＤなどの撮像素子２３０２と、素子上に画像を結像させる光学系２３０３とを有する。不可視光照射装置２３０１によって不可視光を照射されると、不可視蛍光インクで印刷された記号２２０３は蛍光を発し、検出可能となる。蛍光によって生じた２２０３の像は光学系２３０３によって撮像素子２３０２上に結像される。撮像素子２３０２にて検出された画像は閾値処理による２値化、最線化などの公知の画像処理を行われ、位置合わせ、文書識別に用いられる。ここで、画像処理の後の処理については、先願発明に詳しく記述されている。
【０１０１】
本発明における紫外蛍光インクとしてはたとえば有機蛍光体を用いることができ、（株）シンロイヒよりシンロイヒカラー蛍光顔料が市販されており、紫外線の照射によって赤・青など波長の蛍光を発する。
【０１０２】
また、紫外線吸収剤としては、サリチル酸系紫外線吸収剤、ベンゾフェノン系紫外線吸収剤、ベンゾトリアゾール系紫外線吸収剤、シアノアクリレート系紫外線吸収剤などがあげられ、これらの紫外線吸収剤を透明インク中に分散させることにより紫外線吸収インクを作ることができる。
【０１０３】
また、赤外蛍光インクとしては、たとえば日立マクセル製のステルスインクを用いることができる。この物質は赤外波長に対する蛍光特性を有するため、赤外線を照射することにより赤外線を蛍光として発生する。
【０１０４】
上記第二実施例において、従来と同様の外観をもちながら、文書管理装置によって電子文書と密接に連携させることができる紙文書を作成することができる。また、不可視インクによって位置合わせ、文書管理記号を印刷された紙文書を用いて、電子文書と連携した処理を行うことができる。
【０１０５】
【発明の効果】
以上、説明してきたように、本願発明によれば、電子文書を印刷した紙文書に対して行われた書きこみを、元の電子文書に自動的に反映させることができる。
【０１０６】
また、本願発明によれば、紙文書へ加えられる文書識別ＩＤは他のシステムを用いた印刷と同等のものであり、また加筆の抽出も正確に行なうことが可能となる。
【０１０７】
更に、本願発明によれば、不可視インクを記号の印刷に用いることによって、人間には不可視となり、紙文書の外観を妨げずに、機械が判読可能な記号を位置合わせや電子文書の識別に用いることができる。また、紫外線外乱光の多い環境に対しては、紙文書上に紫外光吸収剤を塗布し、その上に紫外光蛍光インクを用いて記号を印刷することができるため、十分に強い光を照射しても紙文書の地肌からの反射によるノイズを低減でき、精度の高い検出を行うことができる。
【０１０８】
【図面の簡単な説明】
【図１】  文書管理システムの概略を示す機能ブロック図である。
【図２】  文書ＩＤ対応表の例を示す図である。
【図３】  位置記号の配置の例を示す図である。
【図４】  電子文書への書き込み更新処理を説明するフローチャート図である。
【図５】  文書保存処理を説明するフローチャート図である。
【図６】  電子文書印刷処理を説明するフローチャート図である。
【図７】  書き込み画像抽出処理を説明するフローチャート図である。
【図８】  モルフィング操作を説明する図である。
【図９】  第一のエンコード方法を適用した場合の紙文書の例を示す図である。
【図１０】  第二のエンコード方法を適用した場合の紙文書の例を示す図である。
【図１１】  第三のエンコード方法を適用した場合の紙文書の例を示す図である。
【図１２】  第四のエンコード方法を適用した場合の紙文書の例を示す図である。
【図１３】  第五のエンコード方法を適用した場合の紙文書の例を示す図である。
【図１４】  第六のエンコード方法を適用した場合の紙文書の例を示す図である。
【図１５】  第七のエンコード方法を適用した場合の紙文書の例を示す図である。
【図１６】  本発明の第二実施例に係る文書管理システムの概略を示す機能ブロック図である。
【図１７】  不可視記号が印刷された紙文書の外観を示す図である。
【図１８】  紫外光による紙文書の外観を示す図である。
【図１９】  不可視画像読取部による不可視記号の読み取りを説明する図である。
【符号の説明】
１００          文書管理装置
１０１          文書作成・編集装置
１０２          電子文書保存・管理装置
１０３          電子文書印刷装置
１０４          文書読取装置
１０５          情報処理装置
２００          文書管理装置
２１０１        可視画像読取部
２１０２        不可視画像読取部
２１０３        電子文書印刷装置
２１０４        文書読取装置
２１０５        情報処理装置
【図１】
0004738668.tif 000002
【図２】
0004738668.tif 000003
【図３】
0004738668.tif 000004
【図４】
0004738668.tif 000005
【図５】
0004738668.tif 000006
【図６】
0004738668.tif 000007
【図７】
0004738668.tif 000008
【図８】
0004738668.tif 000009
【図９】
0004738668.tif 000010
【図１０】
0004738668.tif 000011
【図１１】
0004738668.tif 000012
【図１２】
0004738668.tif 000013
【図１３】
0004738668.tif 000014
【図１４】
0004738668.tif 000015
【図１５】
0004738668.tif 000016
【図１６】
0004738668.tif 000017
【図１７】
0004738668.tif 000018
【図１８】
0004738668.tif 000019
【図１９】
0004738668.tif 000020